(57)【要約】      （修正有）【課題】サイドパネルを天板の側面箇所に配置することを、美観を損なうことなく行えるようにする。【解決手段】天板１の下面にブロック体９が下向きに突設しており、このブロック体９は、脚２の上面に固定された連結体７にボルトで締結されている。このため、天板と脚との間には空間が空いている。サイドパネル３に固定したブラケット３１は、連結体７の内面に重なる嵌入部３３を備えており、この嵌入部３３と連結体７とブロック体９とをボルトで共締めしている。【選択図】      図９
2005087627.tif 000002
【特許請求の範囲】
【請求項１】
天板と、この天板の縁部を支持する脚又は袖キャビネットと、天板の縁部箇所に配置したサイドパネルとを備えており、前記脚又は袖キャビネットに、天板を支持する受け部を突設することにより、天板と脚又は袖キャビネットとの間には空間が空いている机であって、
前記サイドパネルには、天板と脚又は袖キャビネットとの間の空間に入り込むブラケットを設けており、このブラケットを前記受け部材又は天板若しくは脚に取付けている、
机。
【請求項２】
前記天板は、前記受け部に嵌合する下向き突部を備えており、受け部材と天板の下向き凸部と前記サイドパネルのブラケットとを水平状に延びるボルトで共締めしている、
請求項１に記載した机。
【発明の詳細な説明】
【技術分野】
【０００１】
本発明は、サイドパネルを備えた机（テーブル）に関するものである。
【背景技術】
【０００２】
机は一般に左右の脚で天板を支持した構成になっており、目隠し用や書類ピンナップ等のためにサイドパネルを取り付けることがある。
【０００３】
このサイドパネルの取り付け手段としては、天板の側部に上向き開口の穴を開けて、サイドパネルの下面に突設した足を前記穴に嵌め入れたり、或いは、天板の側部にサイドパネルの前面と後面とに重なる上向きのブラケットを固定し、このブラケットにサイドパネルを固定したりしている（後者の場合、サイドパネルの前面及び後面には、ブラケットを覆うカバーが装着される）。
【発明の開示】
【発明が解決しようとする課題】
【０００４】
従来のように天板の上面にサイドパネルを取り付ける態様では、天板に取り付け用の穴やブラケットを設ける必要があるため、サイドパネルを取り外した後に穴類が露出して美観を損なう虞があった。さりとて、穴類を覆うキャップを設けると、キャップを紛失することがあった。
【０００５】
また、サイドパネルは天板の下方まで延ばすように配置したい場合があり、この場合は、例えば、脚の外面に係合穴を形成する一方、サイドパネルには前記係合穴に嵌まる係合爪を形成するという方法が考えられるが、これではサイドパネルの不使用時に脚の係合穴が露出するため美観を損なう虞がある。また、取り付け強度に劣る虞もある。
【０００６】
本発明は、このような実情を改善することを課題とするものである。
【課題を解決するための手段】
【０００７】
本願発明者たちは、天板と、この天板の縁部を支持する脚又は袖キャビネットとを備えた机において、前記天板を脚又は袖キャビネットの上面から突出した受け部材で支持することにより、天板と脚又は袖キャビネットとの間に空間が空いた形態のものを創案した。
【０００８】
そして、このような天板と脚又は袖キャビネットとの間に空間が空いた形態の机において、天板と脚又は袖キャビネットとの間の空間を利用してサイドパネルを取り付けるべく、サイドパネルに、天板と脚又は袖キャビネットとの間の空間に入り込むブラケットを設けて、このブラケットを前記受け部材又は天板若しくは脚に取付ける構成にした。
【０００９】
請求項２の発明では、前記天板は、前記受け部に嵌合する下向き突部を備えており、受け部材と天板の下向き凸部と前記サイドパネルのブラケットとを水平状に延びるボルトで共締めしている。
【発明の効果】
【００１０】
本発明では、サイドパネルを取り付けるためのブラケットは天板と脚又は袖キャビネットとの間に入り込んでいるため、天板や脚には人目に触れる穴を開ける必要はなく、このためサイドパネルを取り外した後に美観が損なわれるようなことは全くない。また、サイドパネルは天板の外側に配置されるため、例えば床の近くまで下向きに延ばして机内部の目隠しに兼用することも簡単に行える。
【００１１】
また、サイドパネルを脚や袖キャビネットの側面に重ねた状態で配置できることと、ブラケットはボルト等で強固に締結することが可能であることとが相まって、サイドパネルの取り付け強度を高めることも可能になる。
【００１２】
請求項２のように構成すると、天板を脚又は袖キャビネットに固定するボルトを利用してブラケット手段を固定するものであるため、すなわち、天板の固定用のボルトをサイドパネルの取り付けに兼用できるため、それだけ取付け構造を簡素化できる利点がある。
【発明を実施するための最良の形態】
【００１３】
次に、本願発明の実施形態を図面に基づいて説明する。
【００１４】
図１は概略斜視図であり、机は、平面視矩形状の天板１と、その左右両端を支持する横向きロ字状の脚２と、天板１の側面箇所に配置したサイドパネル３と、天板１の背面箇所に配置したバックパネル４とを備えている。
【００１５】
サイドパネル３は天板１の片側だけに配置しても良いし、一点鎖線で示すように両側に配置することも可能である。サイドパネル３の机上からの高さが高いと使用者が圧迫感を受けることがあるので、バックパネル４よりも高さを低くすることも可能である。
【００１６】
本実施形態では、サイドパネル３の下端は床の近くまで延びている（サイドパネル３の下面にアジャスターを取り付けて、床上に支持することも可能である）。図示のサイドパネル３は天板１と略同じ前後幅寸法になっているが、天板１よりも幅狭又は幅広であっても良いことは言うまでもない。
【００１７】
(1).机の基本構成
先ず、本願発明の具体例の説明に先立って、机の基本的構造を図２〜図８に基づいて説明する。以下に説明する基本構造は、サイドパネル３を取付けない仕様の構造である。
【００１８】
図２のうち（ａ）は天板２を二点鎖線で示した机の全体平面図、（ｂ）は正面図、（ｃ）は側面図である。これらの図に示すように、左右の脚２の上面には、請求項に記載した受け部材の一例として前後一対の連結手段５が配置されており、各連結手段５に天板１を固定すると共に、左右の連結手段５で横長ビーム６を連結している。
【００１９】
脚２は、前後の縦フレーム２ａと上下の水平フレーム２ｂとで側面視口字状に形成されている。天板２は木製であり、脚２を構成する各フレーム２ａ，２ｂはそれぞれアルミの押し出し加工品から成っている（もちろん、両者とも他の素材製でも良い）。
【００２０】
図３は図１（ａ）の III-III視一部切欠き要部正面図、図４は図１（ａ）のIV−IV視部切欠き要部断面図、図５は連結手段５を構成する各部品の斜視図、図６は脚２における上水平フレーム２ａの正断面図である。脚２の水平フレーム２ｂは略Ｔ字状の中空状に形成されている。
【００２１】
前記連結手段Ａは、所定高さの連結体７と、板状の台座体８と、机天板２の下面に固定した下向き突出する固定用ブロック体９と、一対のサポートピン１０と、複数のボルト等から構成されている。固定用ブロック９は請求項に記載した突起部の一例である。
【００２２】
台座体８はアルミダイキャスト製であり、その中央部は前記脚体２の上水平フレーム２ｂに皿ネジ１１で締結されている。また、台座体８のコーナー部には、連結体７を固定するための六角穴付きボルト１２が嵌まっている。
【００２３】
皿ねじ１１及びボルト１２は、脚２の縦フレーム２ａ及び上水平フレーム２ｂに嵌入した継手体１９にねじ込まれている。また、脚２の上水平フレーム２ｂの前後両端はキャップ（図示せず）で保護されている。
【００２４】
固定用ブロック体９はアルミダイキャスト製であり、平面視略矩形状の本体９ａとその上端に一体的に連設された取付け板部９ｂとからなる。取付け板部９ｂの上面には、机天板２の下面に形成された位置決め凹所１３に嵌入できる一対の位置決め用ボス９ｃが形成されている。
【００２５】
固定用ブロック体９の本体９ａには、その下部側に下向きに開放された大径孔１４が穿設されており、この大径孔１４の上端に連通して小径のボルト取付け孔１５が上面にまで貫通形成されている。
【００２６】
前記大径孔１５から固定用ボルト１６が上向きに挿入されており、この固定用ボルト１６の雄ねじ部はボルト取付け孔１５を貫通して上向きに突出し、机天板１に埋設された鬼目ナット１７にねじ込まれている。
【００２７】
固定用ブロック体９における本体９ａの外側の一対の対向する縦側面には、サポートピン１０の截頭円錐状頭部１０ａが当接し得る截頭円錐状の当接部１８が、前記大径１４に連通するように凹み形成されている。
【００２８】
連結体７はアルミダイキャスト製であり、基部７ａと、該基部７ａから上面が水平に延びるアーム部７ｂとからなる。基部７ａの上面には、前記固定用ブロック体９の取付け板部９ｂが嵌まる凹所２０と、これに連通し、前記本体９ａが嵌入可能な四角状の取付け凹所２１とが形成されている。さらに、一対のサポートピン１０がそれぞれ水平方向に嵌入可能な横孔２２が、取付け凹所２１に連通するように穿設形成されている。
【００２９】
前記各サポートピン１０は、円柱状胴部１０ｂに回転不能に嵌まっている。一対のサポートピン１０のうち前後外側に位置したサポートピン１０には、その軸心に沿って貫通した貫通穴１０ｃが空いており、この貫通穴１０ｃに、締結ボルト（六角穴付きボルト）２３が嵌まっている。他方の、サポートピン１０には、締着ボルト２３が螺合する雌ねじ穴が形成されている。
【００３０】
締結ボルト２３を他方のサポートピン１０にねじ込むと、くさび作用により、固定ブロック体９は連結体７に固定される。そして、天板１と脚２との間には、連結体７と台座体８との高さ寸法の和（例えば３０〜６０ｍｍ程度）の高さの空間が空いている。
【００３１】
前記連結体７におけるアーム部７ｂの上面は基部７ａの上面と同一平面上にあり、またアーム部７ｂの下面は前記基部７ａに近い側の上下寸法が大きく、先端（自由端）に行くに従って上下高さ寸法が小さくなるように正面視で略三角形状に形成されている。
【００３２】
横長ビーム６の端部は、前記各連結体７のアーム部７ｂとその下方に配置する補助アーム体２４とで挟持されている（横長ビーム６を使用しない場合は、補助アーム２４は使用しない）。
【００３３】
図７（ａ）は補助アーム２４の縦断正面図、図７（ｂ）は補助アーム２４の側断面図、図８は図５のVIII−VIII視断面図である。横長ビーム６はアルミ押出材であり、前後に複数の突条部分６ａを有し、且つ複数の断面中空部６ｂが形成された断面形状である。そして、補助アーム２４とアーム部７ｂとは、横長ビーム６にきっちり嵌合する断面形状になっている。
【００３４】
連結体７のアーム部７ｂと補助アーム２４とは複数のボルト２８で締結されている。また、連結体７のアーム部７ｂと補助アーム２４とには、横長ビーム６に形成された穴（図示せず）に嵌まる位置決め用ボス２６を形成している。更に、連結体７のアーム部７ｂと補助アーム２４とは、ボルト２７で天板１の下面に固定されている。
【００３５】
図４に示すように、脚２の縦フレーム２ａと水平フレーム２ｂとは、両者の内部に嵌入した継手体（インナーブロック）１９にボルト２９で固定されている。すなわち、両フレーム２ａ，２ｂは継手体１９を介して一体に連結されている。また、前記した台座体８及び連結体７を脚２に固定するためのビス１１，ボルト１２は継手体１９にねじ込まれている。
【００３６】
(2).本願発明の第１実施形態（図９〜図１４）
次に、図９〜図１２に基づいてサイドパネル３の取り付け構造を説明する。
【００３７】
図９は分離平面図、図１０は要部の分離斜視図、図１１のうち（ａ）はサイドパネル３の部分的な分離斜視図、（ｂ）は（ａ）のｂ−ｂ視平断面図、図１２のうち（ａ）はサイドパネル３を取り付けた状態での図９のXII-XII 視断面図、（ｂ）は別例図である。
【００３８】
サイドパネル３の構造は自由に設定できるが、本例では、図１２に示すように、心材３ａとその表裏に配置したインシュレータ層３ｂとで三層構造にしている。従って、サイドパネル４の表面に押しピンで書類を止めることができる。インシュレータ層３ｂはクロスで覆われている。また、詳細は省略するか、サイドパネル３（及びバックパネル４）の周囲にはエッジを装着している。
【００３９】
サイドパネル３のうち天板１と重なる面には、前後一対のブラケット３１を固定している。ブラケット３１は板金製であり、上下に延びる基板３２と、その上端に一体に設けられると共に天板１と脚２との間の空間に入り込む嵌入部３３とから成っている。基板３２は、ビス３４でサイドパネル３に固定されている。図１１（ｂ）に示すように、サイドパネル３には、ビス３４をねじ込むための鬼目ナット３５が埋設されている。
【００４０】
ブラケット３１の嵌入部３３は前後内側に開口した側面視コ字状に形成されており、その前後外面に補強板３６をスポット溶接等によって固着している。手前側のブラケット３１は、嵌入部３３の補強板３６が手前側の連結体７の後面に重なり、奥側のブラケット３１は、嵌入部３３の補強板３６が奥側の連結体７の前面に重なるように配置されている。
【００４１】
そして、嵌入部３３に、天板１を固定するための締結用ボルト２３が螺合する雌ねじ穴３７を形成しており、締結用ボルト２３及びサピートピン１０を介して、連結体７と固定用ブロック９と嵌入部３３とを一体に締結している。従って、サイドパネル３を取付ける場合は、両方のサポートピン１０とも雌ねじは形成されていない。締結用ボルト３８は六角レンチ３８で回転操作される。
【００４２】
図１２（ｂ）に示すように、嵌入部３３の内面にナット３９を溶接等にて固着しても良い。補強板３６に雌ねじ穴３７を形成することも可能である。なお、図１０の符号１０ｄは回り止め用リブであり、連結体７の横穴２２には、リブ１０ｄが嵌まる溝２２ａを形成している。
【００４３】
以上のように、天板１を固定するためのボルト２３を利用してサイドパネル３を取り付けるものであるため、構造を簡単化できると共に組み立て工程も簡素になる。また、ブラケット３１は強固に固定される。
【００４４】
なお、天板１が脚３の外面から左右外側にオーバーハングしている場合は、サイドパネル３に、脚３の外面に当たるスペーサを設けることも可能である。こうすると安定性をより向上させることができる。サイドパネル３の下端部を、下ブラケットを介して下水平フレーム２ｂに固定することも可能である。
【００４５】
本実施形態のように、机の前後外側方向から回転操作する締結ボルト２３を使用してブラケット３１を固定する構成にすると、締結ボルト２３は天板の外側まで延びる六角レンチやソケットレンチを使用して迅速に回転操作できるため、取付け・取り外しの作業を能率良く行える利点がある。
【００４６】
(3).バックパネルの取り付けへの利用
天板１の左右両側にサイドパネル３を配置した場合、左右のサイドパネル３を利用してバックパネル４を取り付けることが可能になる。その例を図１３に示している。
【００４７】
左右のサイドパネル３は天板１の後方にはみ出た状態で配置されており、左右サイドパネル３の後端部にバックパネル４が嵌まり込む溝３ａを形成することにより、バックパネル４を前後ずれ不能に保持している。このように溝３ａにバックパネル４を嵌め込むと、バックパネル４はサイドパネル３のみで保持されるため、バックパネル４と天板１との間には配線空間４０を空けることができる。
【００４８】
（ｂ）に示す例では、サイドパネル３の後端面に横向きに突出するリアストッパー３ｂを設けて、リアストッパー３ｂと天板１とでバックパネル４を前後動不能に保持している。（ｃ）に示す例では、サイドパネル３にとける広幅面の後端部に平面視コ字状のガイド部材３ｃを着脱自在に固定し、このガイド部材３ｃでバックパネル４を前後動不能に保持している。
【００４９】
これらの実施形態のように、サイドパネル３を利用してバックパネル４を机に取り付けると、バックパネル４を取付けるためのブラケット等の特別の部材や加工が不要になり、しかも、安定良く保持できる利点がある。
【００５０】
(4).その他
本発明は上記の実施形態の他にも様々に具体化することができる。例えばブラケットは、天板の下面にビスで固定したり、脚における上水平フレームの上面にビスで固定したりしても良い。更に、ブラケットをクランプ方式によって脚の上水平フレーム（及び下水平フレーム）に固定することも可能である。横長ビームに固定することも可能である。
【００５１】
また、脚は必ずしも側面視口字状に形成することには限らず、側面視横向きＨ字状や側面視コ字状（いわゆるＬ脚）、或いは門形など、様々の形態のものに適用できる。もちろん、天板を脚と袖キャビネット、又は袖キャビネットのみで支持した机にも適用できる。更に、天板の平面形状は矩形には限らず、平面視Ｌ字状等の様々の形状のものに適用できるのである。ブラケットは脚の上水平フレームに上方から嵌め込む形式としても良い。
【００５２】
敢えて説明するまでもないが、サイドパネルのうち天板よりも上方の部分又は下方の部分若しくは上下両側の部分に、棚板を着脱自在に取り付けることも可能である。
【図面の簡単な説明】
【００５３】
【図１】机の概略斜視図である。
【図２】机き平面図、正面図、側面図である。
【図３】図１（ａ）の III-III視一部切欠き要部正面図である。
【図４】図１（ａ）のIV−IV視部切欠き要部断面図である。
【図５】連結手段を構成する各部品の斜視図である。
【図６】脚における上水平フレームの正断面図である。
【図７】補助アームの断面図である。
【図８】図５のVIII−VIII視断面図である。
【図９】本願発明の具体的態様を示す分離平面図である。
【図１０】要部の分離斜視図である。
【図１１】（ａ）はサイドパネル３の部分的な分離斜視図、（ｂ）は（ａ）のｂ−ｂ視平断面図である。
【図１２】（ａ）はサイドパネル３を取り付けた状態での図９のXII-XII 視断面図、（ｂ）は別例図である。
【図１３】サイドパネルを利用してバックパネルを取付ける例を示す図である。
【符号の説明】
【００５４】
１  天板
２  脚
２ａ  脚の上水平フレーム
３  サイドパネル
５  受け部材の一例としての連結手段
６  横長ビーム
７  受け部材を構成する連結体
９  下向き突部の一例である固定用ブロック体
１０  サポートピン
２３  締結用ボルト
３１  ブラケット
３２  基板
３３  嵌入部
【図１】
2005087627.tif 000003
【図２】
2005087627.tif 000004
【図３】
2005087627.tif 000005
【図４】
2005087627.tif 000006
【図５】
2005087627.tif 000007
【図６】
2005087627.tif 000008
【図７】
2005087627.tif 000009
【図８】
2005087627.tif 000010
【図９】
2005087627.tif 000011
【図１０】
2005087627.tif 000012
【図１１】
2005087627.tif 000013
【図１２】
2005087627.tif 000014
【図１３】
2005087627.tif 000015